【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
カメラ・レンズと、複数のマイクロレンズを含むレンズレット・アレイと、光センサ・アレイとを含むプレノプティック・カメラであって、
前記カメラ・レンズの開口絞り平面内に配置され、前記光センサ・アレイを照明する発光デバイスと、
前記発光デバイスによって照明される少なくとも１つの光センサから前記複数のマイクロレンズの各マイクロレンズと関連付けられたマイクロ画像の参照ピクセルを決定するように構成された、メモリと関連付けられたプロセッサと
を含み、
前記参照ピクセルは、前記発光デバイスから最大強度の光を受ける、前記少なくとも１つの光センサの中の光センサに対応する、前記プレノプティック・カメラ。
【請求項２】
前記発光デバイスが、前記開口絞り平面の中心に配置される、請求項１に記載のプレノプティック・カメラ。
【請求項３】
前記発光デバイスが、透明である、請求項１に記載のプレノプティック・カメラ。
【請求項４】
前記カメラ・レンズの焦点距離の変化、および／あるいはズームまたは合焦するときに生じる集束距離の変化を検出するモジュールをさらに含む、請求項１に記載のプレノプティック・カメラ。
【請求項５】
変化の前記検出が、前記発光デバイスによる前記光センサ・アレイの照明をトリガする、請求項４に記載のプレノプティック・カメラ。
【請求項６】
前記発光デバイスが、少なくとも１つの画像取得サイクルの少なくとも一部分の間、前記光センサ・アレイを照明する、請求項１に記載のプレノプティック・カメラ。
【請求項７】
前記発光デバイスが、白色光を発出する、請求項１に記載のプレノプティック・カメラ。
【請求項８】
前記発光デバイスが、赤色光、緑色光、および青色光を連続的に発出する、請求項１に記載のプレノプティック・カメラ。
【請求項９】
前記発光デバイスが、発光ダイオードである、請求項１に記載のプレノプティック・カメラ。
【請求項１０】
前記プロセッサが、前記光センサ・アレイの各光センサが受光する光強度を測定することによって、前記発光デバイスによって照明される光センサを決定するようにさらに構成され、前記決定された光センサが、前記測定された光強度が最大となる光センサに対応する、請求項１に記載のプレノプティック・カメラ。
【請求項１１】
カメラ・レンズと、複数のマイクロレンズを含むレンズレット・アレイと、光センサ・アレイとを含むプレノプティック・カメラにおいて参照ピクセルを決定する方法であって、
前記カメラ・レンズの開口絞り平面内に配置された発光デバイスによって前記光センサ・アレイを照明するステップと、
前記発光デバイスによって照明される前記光センサ・アレイの少なくとも１つの光センサから、前記複数のマイクロレンズの各マイクロレンズと関連付けられたマイクロ画像の参照ピクセルを決定するステップとを含み、
前記参照ピクセルは、前記発光デバイスから最大強度の光を受ける、前記少なくとも１つの光センサの中の光センサに対応する、前記方法。
【請求項１２】
前記カメラ・レンズの焦点距離の変化、および／あるいはズームまたは合焦するときに生じる集束距離の変化を検出するステップをさらに含み、前記照明が、前記検出によってトリガされる、請求項１１に記載の方法。
【請求項１３】
前記光センサ・アレイが、少なくとも１つの画像取得サイクルの少なくとも一部分の間照明される、請求項１１または１２に記載の方法。
【請求項１４】
前記決定するステップが、前記光センサ・アレイの各光センサが受光する光強度を測定することによって、前記発光デバイスによって照明される前記光センサを決定することを含み、前記決定された光センサが、前記測定された光強度が最大となる光センサに対応する、請求項１１または１２に記載の方法。
【請求項１５】
前記参照ピクセルが、前記マイクロ画像の中心のピクセルに対応する、請求項１１または１２に記載の方法。
【手続補正２】
【補正対象書類名】明細書
【補正対象項目名】００６３
【補正方法】変更
【補正の内容】
【００６３】
いくつかの実施態様について説明した。しかしながら、様々な修正を加えることができることは理解されるであろう。例えば、異なる実施態様の要素を組み合わせたり、補ったり、修正したり、または取り除いたりして、他の実施態様を生み出すこともできる。さらに、開示した構造およびプロセスの代わりに他の構造およびプロセスを使用することもできること、また、その結果得られた実施態様は、開示した実施態様と少なくとも実質的には同じ１つまたは複数の機能を、少なくとも実質的には同じ１つまたは複数の方法で実行して、少なくとも実質的には同じ１つまたは複数の結果を実現することを、当業者なら理解するであろう。従って、本願では、以上のおよびその他の実施態様が企図されている。  
上記の実施形態に加えて、以下の付記を開示する。
（付記１）
カメラ・レンズ（１０）と、複数のマイクロレンズ（１１１、１１２、１１ｎ）を含むレンズレット・アレイ（１１）と、光センサ・アレイ（１３）とを含むプレノプティック・カメラ（２）であって、前記カメラ・レンズ（１０）の開口絞り平面内に配置された発光デバイス（２０）を含み、前記発光デバイス（２０）が、前記光センサ・アレイ（１３）を照明する、前記プレノプティック・カメラ（２）。
（付記２）
前記発光デバイスによって照明される光センサから前記複数のマイクロレンズの各マイクロレンズと関連付けられたマイクロ画像の参照ピクセルを決定するように構成された、メモリと関連付けられたプロセッサをさらに含む、付記１に記載のプレノプティック・カメラ（２）。
（付記３）
前記発光デバイス（２０）が、前記開口絞り平面の中心に配置される、付記１または２に記載のプレノプティック・カメラ。
（付記４）
前記発光デバイス（２０）が、透明である、付記１または２に記載のプレノプティック・カメラ。
（付記５）
前記カメラ・レンズの焦点距離の変化、および／あるいはズームまたは合焦するときに生じる集束距離の変化を検出するモジュールをさらに含む、付記１または２に記載のプレノプティック・カメラ。
（付記６）
変化の前記検出が、前記発光デバイス（２０）による前記光センサ・アレイ（１３）の照明をトリガする、付記５に記載のプレノプティック・カメラ。
（付記７）
前記発光デバイス（２０）が、少なくとも１つの画像取得サイクルの少なくとも一部分の間、前記光センサ・アレイ（１３）を照明する、付記１または２に記載のプレノプティック・カメラ。
（付記８）
前記発光デバイス（２０）が、白色光を発出する、付記１または２に記載のプレノプティック・カメラ。
（付記９）
前記発光デバイス（２０）が、赤色光、緑色光、および青色光を連続的に発出する、付記１または２に記載のプレノプティック・カメラ。
（付記１０）
前記発光デバイス（２０）が、発光ダイオードである、付記１または２に記載のプレノプティック・カメラ。
（付記１１）
前記プロセッサが、前記光センサ・アレイの各光センサが受光する光強度を測定することによって、前記発光デバイスによって照明される光センサを決定するようにさらに構成され、前記決定された光センサが、前記測定された光強度が最大となる光センサに対応する、付記２に記載のプレノプティック・カメラ。
（付記１２）
カメラ・レンズと、複数のマイクロレンズを含むレンズレット・アレイと、光センサ・アレイとを含むプレノプティック・カメラにおいて参照ピクセルを決定する方法であって、
前記カメラ・レンズの開口絞り平面内に配置された発光デバイスによって前記光センサ・アレイを照明するステップ（６１）と、
前記発光デバイスによって照明される前記光センサ・アレイの光センサから、前記複数のマイクロレンズの各マイクロレンズと関連付けられたマイクロ画像の参照ピクセルを決定するステップ（６２）とを含む、前記方法。
（付記１３）
前記カメラ・レンズの焦点距離の変化、および／あるいはズームまたは合焦するときに生じる集束距離の変化を検出するステップをさらに含み、前記照明が、前記検出によってトリガされる、付記１２に記載の方法。
（付記１４）
前記光センサ・アレイが、少なくとも１つの画像取得サイクルの少なくとも一部分の間照明される、付記１２または１３に記載の方法。
（付記１５）
前記決定するステップが、前記光センサ・アレイの各光センサが受光する光強度を測定することによって、前記発光デバイスによって照明される前記光センサを決定することを含み、前記決定された光センサが、前記測定された光強度が最大となる光センサに対応する、付記１２または１３に記載の方法。
（付記１６）
前記参照ピクセルが、前記マイクロ画像の中心のピクセルに対応する、付記１２または１３に記載の方法。